(57)【要約】【課題】薄型化に好適で信頼性の高いコネクタ装置を提供すること。【解決手段】コネクタ装置２０は、絶縁性の保持体２１と、保持体２１に保持された一対の電極片２２，２３と、グラウンド導体板として保持体２１に外装された金属板２４とを備えており、回路基板１１上に実装されている。一方、ケ−ブルコネクタ３０は、同軸ケーブル１５の内部導体から導出された弾性金属片で突起部３１ａを有する中央コンタクト３１と、中央コンタクト３１をほぼ収納している絶縁ケース３２と、同軸ケーブル１５の外部導体から導出されて絶縁ケース３２に外装されたアースコンタクト３３とを備えている。ケ−ブルコネクタ３０をコネクタ装置２０の側部開口２１ｂから内部空間２１ａ内へ挿入していくと、突起部３１ａに押し撓められる電極片２２が電極片２３から離隔すると共に、電極片２２の反力でアースコンタクト３３が金属板２４に圧接される。【選択図】      図１
2005026079.tif 000002
【特許請求の範囲】
【請求項１】
先端部を回路基板上で昇降させる弾性変形が許容されて基端部が該回路基板に接続された第１の電極片と、この第１の電極片の前記先端部が常時弾接する位置に配設されて前記回路基板に接続された第２の電極片と、これら第１および第２の電極片を覆う位置に配設されて前記回路基板に接続されたグラウンド導体板とを備え、
同軸ケーブルの内部導体から導出された中央コンタクトと外部導体から導出されたアースコンタクトとを有するケ−ブルコネクタを、前記第１および第２の電極片と前記グラウンド導体板との間に存する空間内へ側方から挿入することにより、該ケ−ブルコネクタの前記中央コンタクトが前記第１の電極片を押し撓めて前記先端部を前記第２の電極片から離隔させると共に、該ケ−ブルコネクタの前記アースコンタクトが前記グラウンド導体板に接触するように構成したことを特徴とするコネクタ装置。
【請求項２】
請求項１の記載において、絶縁性樹脂からなり前記第１および第２の電極片を保持する保持体を備え、この保持体の上部開口を覆う位置に取り付けた金属板を前記グラウンド導体板となしたことを特徴とするコネクタ装置。
【請求項３】
請求項１または２の記載において、前記ケ−ブルコネクタの前記中央コンタクトが、該ケ−ブルコネクタの底面側へ突出する突起部を有して一端が前記同軸ケーブルの内部導体に接続された弾性金属片からなり、該突起部を前記第１の電極片に当接させる部位となしたことを特徴とするコネクタ装置。
【発明の詳細な説明】
【０００１】
【発明の属する技術分野】
本発明は、ケ−ブルコネクタの着脱に応じて開閉されるスイッチ部を備えたコネクタ装置に係り、特に、携帯電話等の回路基板に実装して好適なコネクタ装置に関する。
【０００２】
【従来の技術】
同軸ケーブルに接続されたケ−ブルコネクタの着脱に応じてスイッチ部が開閉するレセプタクルコネクタとして設計されたコネクタ装置は、通常、ピンコンタクトを有するケ−ブルコネクタが着脱可能な構成になっている（例えば、特許文献１参照）。ここで、ピンコンタクトは同軸ケーブルの内部導体に接続されており、このピンコンタクトをコネクタ装置の内部へ挿入していくことにより、それまで弾接していたコネクタ装置の一対の電極片が離隔させられて両者間の導通が遮断されると共に、一方の電極片がピンコンタクトと導通された状態となる。したがって、このコネクタ装置にケ−ブルコネクタを装着することによって、無線特性の検査や外部アンテナとの接続が可能となる。
【０００３】
図５は従来より知られているこの種のコネクタ装置の斜視図、図６は該コネクタ装置にケ−ブルコネクタを装着する際の動作説明図である。
【０００４】
これらの図に示す従来のコネクタ装置１は、絶縁性樹脂からなる保持体２と、この保持体２に保持された第１の電極片３および第２の電極片４と、保持体２上に突設された金属円筒部５と、保持体２に外装されて金属円筒部５と電気的に接続された金属平板部６とによって概略構成されている。
【０００５】
このコネクタ装置１は回路基板１１上に実装されており、回路基板１１に設けられている高周波回路１２とアンテナ回路１３とアース回路（図示せず）に、それぞれ、第１の電極片３と第２の電極片４と金属平板部６が接続されている。第１の電極片３は弾性変形できるように例えば略Ｓ字形に折曲加工されているので、第１の電極片３の先端部３ａは回路基板１１上で昇降可能である。第２の電極片４の先端部４ａは、第１の電極片３の先端部３ａが下から弾接する位置に配置されている。これら第１および第２の電極片３，４は、インサート成形によって保持体２と一体化されている。
【０００６】
一方、このコネクタ装置１に対して着脱可能なケ−ブルコネクタ７には、同軸ケーブル１５の内部導体から導出されたピンコンタクト８と、同軸ケーブル１５の外部導体から導出された円筒形状のアースコンタクト９と、両コンタクト８，９間に介在する絶縁部１０とが具備されている。
【０００７】
かかる構成において、ケ−ブルコネクタ７がコネクタ装置１に装着されていないとき、第１の電極片３の先端部３ａは第２の電極片４の先端部４ａに弾接しているので、第１および第２の電極片３，４が閉成されてアンテナ回路１３は高周波回路１２と接続された状態に保たれる。しかるに、ケ−ブルコネクタ７がコネクタ装置１に装着されると、第１の電極片３の先端部３ａ近傍がピンコンタクト８によって押し下げられるため、第１の電極片３の先端部３ａが第２の電極片４の先端部４ａから離隔して両電極片３，４どうしの導通が遮断されると共に、アースコンタクト９が金属円筒部５に外嵌される。これにより、アンテナ回路１３は高周波回路１２から遮断された状態となり、ケ−ブルコネクタ７を介して同軸ケーブル１５の内部導体と高周波回路１２とが接続され、かつ同軸ケーブル１５の外部導体と回路基板１１のアース回路とが接続された状態に切り替わる。
【０００８】
【特許文献１】
特開平１１−１８５８８９号公報（第３−５頁、図１）
【０００９】
【発明が解決しようとする課題】
図５，６に示す従来のコネクタ装置１は、ケ−ブルコネクタ７のピンコンタクト８を挿入させると共にアースコンタクト９を外嵌させるための金属円筒部５を突設した構成にしなければならないことから、回路基板１１上での高さ寸法が大きくなってしまい、昨今の携帯電話機等に要求される薄型化が促進しにくいという問題があった。また、ケ−ブルコネクタ７のピンコンタクト８の長さ寸法には若干のばらつきがあるが、従来のコネクタ装置１の場合、長すぎるピンコンタクト８に押し下げられた第１の電極片３が塑性変形（座屈変形）し、第２の電極片４との接触状態が回復されなくなってしまう虞があった。さらにまた、従来のコネクタ装置１では、ケ−ブルコネクタ７を装着すると弾性変形した第１の電極片３の反力がピンコンタクト８に作用し続けることになるので、該反力が大きいときやアースコンタクト９と金属円筒部５との嵌合が緩いときには、ピンコンタクト８が第１の電極片３に押し上げられてケ−ブルコネクタ７が徐々に抜き方向へ移動してしまい、最悪の場合、ケ−ブルコネクタ７の装着不良に至り信頼性を損なう要因となっていた。
【００１０】
本発明は、このような従来技術の実情に鑑みてなされたもので、その目的は、薄型化に好適で信頼性の高いコネクタ装置を提供することにある。
【００１１】
【課題を解決するための手段】
上述した目的を達成するため、本発明のコネクタ装置は、先端部を回路基板上で昇降させる弾性変形が許容されて基端部が該回路基板に接続された第１の電極片と、この第１の電極片の前記先端部が常時弾接する位置に配設されて前記回路基板に接続された第２の電極片と、これら第１および第２の電極片を覆う位置に配設されて前記回路基板に接続されたグラウンド導体板とを備え、同軸ケーブルの内部導体から導出された中央コンタクトと外部導体から導出されたアースコンタクトとを有するケ−ブルコネクタを、前記第１および第２の電極片と前記グラウンド導体板との間に存する空間内へ側方から挿入することにより、該ケ−ブルコネクタの前記中央コンタクトが前記第１の電極片を押し撓めて前記先端部を前記第２の電極片から離隔させると共に、該ケ−ブルコネクタの前記アースコンタクトが前記グラウンド導体板に接触するように構成した。
【００１２】
このように構成されたコネクタ装置では、第１の電極片が弾性変形する方向に対して略直角にケ−ブルコネクタが挿入されるため、ケ−ブルコネクタを装着して弾性変形した第１の電極片の反力は、アースコンタクトをグラウンド導体板に圧接させる力としては作用するものの、ケ−ブルコネクタを抜き方向へ移動させる直接的な力としては作用せず、それゆえ高信頼性が得やすい。また、ケ−ブルコネクタを回路基板に対して略平行に挿入すればよいので、コネクタ装置の高さ寸法を大幅に低減することができる。さらにまた、ケ−ブルコネクタの寸法に多少のばらつきがあっても第１の電極片が過度に押し撓められる危険性が少ないので、第１の電極片の塑性変形も回避しやすい。
【００１３】
かかる構成に加えて、絶縁性樹脂からなり第１および第２の電極片を保持する保持体を備え、この保持体の上部開口を覆う位置に取り付けた金属板をグラウンド導体板となしたコネクタ装置においては、インサート成形によって第１および第２の電極片が保持体と容易に一体化できると共に、この保持体を利用してグラウンド導体板も容易に取り付けることができるため、好ましい。
【００１４】
また、ケ−ブルコネクタの中央コンタクトが、該ケ−ブルコネクタの底面側へ突出する突起部を有して一端が同軸ケーブルの内部導体に接続された弾性金属片からなり、該突起部を上述したコネクタ装置の第１の電極片に当接させる部位となせば、ケ−ブルコネクタをコネクタ装置に装着したときに中央コンタクトと第１の電極片が共に弾性変形することになるので、両者の相対位置や寸法に多少のばらつきがあっても安定した動作が期待できると共に、第１の電極片の塑性変形がより確実に防止できるため、好ましい。
【００１５】
【発明の実施の形態】
以下、発明の実施の形態について図面を参照して説明すると、図１は本発明の実施形態例に係るコネクタ装置およびケ−ブルコネクタを示す斜視図、図２は該コネクタ装置の断面図、図３は該コネクタ装置の平面図、図４は該ケ−ブルコネクタの断面図である。
【００１６】
図１〜図３に示すコネクタ装置２０は、絶縁性樹脂からなる保持体２１と、インサート成形によって保持体２１に一体化された第１の電極片２２および第２の電極片２３と、グラウンド導体板として保持体２１に外装された金属板２４とによって概略構成されている。このコネクタ装置２０は回路基板１１上に実装されており、回路基板１１に設けられている高周波回路１２とアンテナ回路１３とアース回路１４に、それぞれ、第１の電極片２２と第２の電極片２３と金属板２４が接続されている。第１の電極片２２はクランク状に折曲加工されているので、その先端側に形成された幅広部２２ａが弾性変形可能であり、この弾性変形に伴って第１の電極片２２の先端部２２ｂは回路基板１１上で昇降可能である。また、第２の電極片２３の先端部２３ａは、第１の電極片２２の先端部２２ｂが下から弾接する位置に配置されている。第１の電極片２２の幅広部２２ａや第２の電極片２３の先端部２３ａは保持体２１の内部空間２１ａ内に配置されており、この内部空間２１ａの上部開口は金属板２４によって覆われている。また、第１の電極片２２の幅広部２２ａよりも僅かに高い位置に、内部空間２１ａの側部開口２１ｂが形成されている（図１，２参照）。
【００１７】
一方、このコネクタ装置２０に対して着脱可能なケ−ブルコネクタ３０には、同軸ケーブル１５の内部導体に一端が接続された弾性金属片からなる中央コンタクト３１と、底面に開口３２ａを有し中央コンタクト３１をほぼ収納している箱形形状の絶縁ケース３２と、同軸ケーブル１５の外部導体から導出されて絶縁ケース３２に外装された金属板からなるアースコンタクト３３とによって概略構成されている。図４に示すように、中央コンタクト３１には略Ｖ字形に折曲されて底面側へ突出する突起部３１ａが形成されており、この突起部３１ａが絶縁ケース３２の開口３２ａから下方へ突出している。なお、突起部３１ａはコネクタ装置２０の第１の電極片２２の幅広部２２ａに当接させるための部位である。このケ−ブルコネクタ３０は、図１に示すように、保持体２１の側部開口２１ｂから内部空間２１ａ内へ挿入することによってコネクタ装置２０に装着される。
【００１８】
次に、このように構成されたコネクタ装置２０にケ−ブルコネクタ３０を着脱させる動作について説明する。
【００１９】
ケ−ブルコネクタ３０がコネクタ装置２０に装着されていないとき、第１の電極片２２の先端部２２ｂは第２の電極片２３の先端部２３ａに弾接しているので、第１および第２の電極片２２，２３が閉成されてアンテナ回路１３は高周波回路１２と接続された状態に保たれる。しかるに、ケ−ブルコネクタ３０をコネクタ装置２０の側部開口２１ｂから内部空間２１ａ内へ挿入していくと、側部開口２１ｂを乗り越えた中央コンタクト３１の突起部３１ａが第１の電極片２２の幅広部２２ａに当接して該幅広部２２ａを押し撓めるため、第１の電極片２２の先端部２２ｂが第２の電極片２３の先端部２３ａから離隔して両電極片２２，２３どうしの導通が遮断される。また、この状態で弾性変形した幅広部２２ａの反力が中央コンタクト３１を介してケ−ブルコネクタ３０に作用するため、アースコンタクト３３の天面が内部空間２１ａの上部開口に配置されている金属板２４に押し付けられる。これにより、アンテナ回路１３は高周波回路１２から遮断された状態となり、ケ−ブルコネクタ３０を介して同軸ケーブル１５の内部導体と高周波回路１２とが接続され、かつ外部導体とアース回路１４とが接続された状態に切り替わる。
【００２０】
このように本実施形態例にあっては、第１の電極片２２の幅広部２２ａが弾性変形する方向に対して略直角にケ−ブルコネクタ３０が挿入されるため、ケ−ブルコネクタ３０をコネクタ装置２０に装着した状態で、弾性変形した第１の電極片２２の反力は、アースコンタクト３３を金属板（グラウンド導体板）２４に圧接させる力としては作用するものの、ケ−ブルコネクタ３０を抜き方向へ移動させる直接的な力としては作用しない。したがって、ケ−ブルコネクタ３０の装着不良が発生しにくく、信頼性が高まっている。しかも、ケ−ブルコネクタ３０を回路基板１１に対して略平行に挿入すればよいので、コネクタ装置２０の高さ寸法が大幅に低減でき、薄型化が促進されている。
【００２１】
また、本実施形態例にあっては、ケ−ブルコネクタ３０の中央コンタクト３１が突起部３１ａを有する弾性金属片からなり、この突起部３１ａを第１の電極片２２に当接させる部位となしているので、ケ−ブルコネクタ３０をコネクタ装置２０に装着したときに、中央コンタクト３１と第１の電極片２２が共に弾性変形することになる。そのため、中央コンタクト３１と第１の電極片２２の相対位置や寸法に多少のばらつきがあっても安定した動作が期待できると共に、第１の電極片２２が過度に押し撓められる心配がないので塑性変形（座屈変形）が防止できる。
【００２２】
なお、本実施形態例のように第１の電極片２２に設けた幅広部２２ａに中央コンタクト３１を当接させる構成にしておけば、コネクタ装置２０に対するケ−ブルコネクタ３０の挿入位置に多少のばらつきがあっても接触不良が発生する心配がなくなるため、信頼性が一層高まる。
【００２３】
【発明の効果】
本発明は、以上説明したような形態で実施され、以下に記載されるような効果を奏する。
【００２４】
コネクタ装置が実装された回路基板に対して略平行にケ−ブルコネクタを挿入すると、該挿入方向に対して略直角にコネクタ装置の電極片が弾性変形するように構成にしてあるため、該電極片の反力がケ−ブルコネクタを抜き方向へ移動させる直接的な力として作用しなくなって装着不良が防止できると共に、コネクタ装置の高さ寸法が大幅に低減できて薄型化が促進できる。また、該電極片が過度に押し撓められる危険性が少ないので、該電極片の塑性変形が回避しやすい。特に、ケ−ブルコネクタの中央コンタクトが突起部を有する弾性金属片からなり、該突起部をコネクタ装置の電極片に当接させる部位となせば、ケ−ブルコネクタを装着したときに該中央コンタクトと該電極片が共に弾性変形するため、両者の相対位置や寸法に多少のばらつきがあっても安定した動作が期待できる。
【図面の簡単な説明】
【図１】本発明の実施形態例に係るコネクタ装置およびケ−ブルコネクタを示す斜視図である。
【図２】図１に示すコネクタ装置の断面図である。
【図３】図１，２に示すコネクタ装置の平面図である。
【図４】図１に示すケ−ブルコネクタの断面図である。
【図５】従来例に係るコネクタ装置の斜視図である。
【図６】図５に示すコネクタ装置にケ−ブルコネクタを装着する際の説明図である。
【符号の説明】
１１  回路基板
１５  同軸ケーブル
２０  コネクタ装置
２１  保持体
２１ａ  内部空間
２１ｂ  側部開口
２２  第１の電極片
２２ａ  幅広部
２３  第２の電極片
２４  金属板（グラウンド導体板）
３０  ケ−ブルコネクタ
３１  中央コンタクト
３１ａ  突起部
３２  絶縁ケース
３３  アースコンタクト
【図１】
2005026079.tif 000003
【図２】
2005026079.tif 000004
【図３】
2005026079.tif 000005
【図４】
2005026079.tif 000006
【図５】
2005026079.tif 000007
【図６】
2005026079.tif 000008